(57)【特許請求の範囲】
【請求項１】
板状の土台部と該土台部の奥側端部から立設する壁部とを有するトイレ本体、及び該トイレ本体に取り付ける吸収体を有する吸収性シートを具備するペット用トイレであって、
前記トイレ本体は、前記壁部における前記土台部側と反対側の自由端部から手前に張り出す上側張出部と、前記壁部における前記土台部寄りの部分から手前に張り出す下側張出部とを有し、該上側張出部は、該下側張出部よりも手前側に張り出しており、
前記吸収性シートは、前記上側張出部及び前記下側張出部を介して、前記トイレ本体に取り付けられ、該トイレ本体の前記壁部に取り付けられた該吸収性シートは、その上端部側が手前に張り出し傾斜しているペット用トイレ。
【請求項２】
前記吸収性シートは、該吸収性シートの表面における縦方向に沿う両側部それぞれに、サイドシートが配されており、該サイドシートの横方向の内方側の端部は、自由端となっており、該自由端近傍には弾性部材が縦方向に伸長状態で配設固定され、前記トイレ本体への取り付け時には、該弾性部材の収縮力により、自由端から所定幅の部分が該吸収性シートの表面から離間して立体ギャザーを形成する請求項１に記載のペット用トイレ。
【請求項３】
前記吸収性シートは、表面を形成する表面シート、及び裏面側を形成する裏面シートを有し、両シート間に前記吸収体を配して形成されており、
前記サイドシートは、前記裏面シートにおける前記吸収体の縦方向に沿う両側縁から延出する延出部分を前記表面シート側に折り返して形成されている請求項２に記載のペット用トイレ。
【請求項４】
前記吸収性シートは、前記上側張出部及び前記下側張出部を介してのみ、前記トイレ本体の前記壁部に取り付けられており、該トイレ本体の前記壁部に取り付けられた該吸収性シートは、その中央領域において前記壁部から離間している請求項１〜３の何れか１項に記載のペット用トイレ。
【請求項５】
前記トイレ本体の前記上側張出部は、横方向の中央部分が奥側に凹んでいる請求項１〜４の何れか１項に記載のペット用トイレ。
【請求項６】
前記吸収性シートは、前記トイレ本体の壁部に取り付けられる壁側吸収性シートと、該トイレ本体の土台部に取り付けられる土台側吸収性シートとを有し、
前記壁側吸収性シートは、前記トイレ本体の前記下側張出部から前記上側張出部に向かって、前記吸収体を構成する吸水性ポリマーの量が、多くなっている請求項１〜５の何れか１項に記載のペット用トイレ。
【発明の詳細な説明】
【技術分野】
【０００１】
本発明は、猫や犬等のペット用トイレに関する。
【背景技術】
【０００２】
従来、犬や猫等のペットを住居内で飼育する際に、ペットが排泄した尿等の排泄物を吸収するためのペット用トイレとして、例えば、特許文献１，２に記載されたペット用シートが用いられている。
【０００３】
特許文献１，２に記載されたペット用シートは、床のみならず壁にも掛けられるので、排尿時に片方の後脚を上げて排尿する習性がある特に雄犬に対して使用すれば、排尿による床への汚れを防止できると共に、排尿による壁への汚れも防止できる。
【先行技術文献】
【特許文献】
【０００４】
【特許文献１】特開２００８−１９９９９８号公報
【特許文献２】特開２０１３−１７４４８号公報
【発明の概要】
【発明が解決しようとする課題】
【０００５】
しかし、特許文献１に記載されたペット用シートは、床に配されるペット用シートと壁に掛けられるペット用シートとが直角に配されるようになるので、例えば雄犬が、壁に掛けられたペット用シートに対して排尿すれば、壁に掛けられたペット用シートから跳ねて床に配されるペット用シートを越えた床面に飛び散り易い。このように床面に飛び散った尿は、匂いの原因となり、室内で快適に過ごすことが難しくなってしまう。また、特許文献１には、跳ねて飛び散る排尿の防止に関して、何ら記載されていない。
【０００６】
また、特許文献２に記載されたペット用シートは、壁から床に亘って配され、横方向に延びる折曲線を所定の位置に形成することによって、ペット用シートの壁に配された部分において、下方の部分が、壁から手前に張り出すような状態で使用される。その為、例えば雄犬が、ペット用シートの壁に配された部分に対して排尿すれば、下方の張り出した部分から跳ね易く、ペット用シートの床に配された部分を越えた床面に更に飛び散り易くなっている。また、特許文献２には、跳ねて飛び散る排尿の防止に関して、何ら記載されていない。
【０００７】
従って、本発明は、前述した従来技術を改良したペット用トイレを提供することにある。
【課題を解決するための手段】
【０００８】
本発明は、板状の土台部と該土台部の奥側端部から立設する壁部とを有するトイレ本体、及び該トイレ本体に取り付ける吸収体を有する吸収性シートを具備するペット用トイレであって、前記トイレ本体は、前記壁部における前記土台部側と反対側の自由端部から手前に張り出す上側張出部と、前記壁部における前記土台部寄りの部分から手前に張り出す下側張出部とを有し、該上側張出部は、該下側張出部よりも手前側に張り出しており、前記吸収性シートは、前記上側張出部及び前記下側張出部を介して、前記トイレ本体に取り付けられ、該トイレ本体の前記壁部に取り付けられた該吸収性シートは、その上端部側が手前に張り出し傾斜しているペット用トイレを提供するものである。
【発明の効果】
【０００９】
本発明によれば、排尿が跳ねて飛び散り難く、悪臭が発生し難く、衛生的である。
【図面の簡単な説明】
【００１０】
【図１】図１は、本発明の好ましい一実施形態のペット用トイレを示す斜視図である。
【図２】図２は、図１に示すペット用トイレを側方から視た側面図である。
【図３】図３は、図１に示すペット用トイレを構成するトイレ本体を示す斜視図である。
【図４】図４は、図１に示すペット用トイレを構成する吸収性シートの壁用吸収性シートを示す平面図である。
【図５】図５は、図４に示すＶ−Ｖ線断面図である。
【図６】図６は、図４に示すＶＩ−ＶＩ線断面図である。
【図７】図７は、図１に示すペット用トイレを構成する吸収性シートの土台用吸収性シートを示す平面図である。
【図８】図８は、図７に示すＶＩＩＩ−ＶＩＩＩ線断面図である。
【発明を実施するための形態】
【００１１】
以下、本発明のペット用トイレの好ましい一実施形態について、図１〜図８に基づいて説明する。
本実施形態のペット用トイレ１（以下、単に「ペット用トイレ１」ともいう。）は、図１，図２に示すように、板状の土台部２１と土台部２１の奥側端部から立設する壁部２２とを有するトイレ本体２、及び該トイレ本体２に取り付ける吸収体３１を有する吸収性シート３を具備している。ペット用トイレ１は、正面視して、図中のＺ方向に長い形状であってもよいが、本実施形態においては、図中のＹ方向に長い形状に形成されている。
【００１２】
以下の説明において、図中のＸ方向は、ペット用トイレ１の手前側と奥側の前後方向であり、図中のＹ方向は、ペット用トイレ１を構成する後述する壁用吸収性シート３Ａ側から正面視した際の前後方向（Ｘ方向）に直交する水平方向である横方向であり、図中のＺ方向は、前後方向（Ｘ方向）及び横方向（Ｙ方向）からなる面方向に直交する方向である上下方向である縦方向である。尚、ペット用トイレ１の前後方向（Ｘ方向）、横方向（Ｙ方向）及び縦方向（Ｚ方向）は、それぞれ、トイレ本体２のＸ方向、Ｙ方向及びＺ方向と同じ方向である。ペット用トイレ１及びトイレ本体２の横方向（Ｙ方向）は、後述する壁用吸収性シート３Ａの横方向と同じ方向であり、後述する土台用吸収性シート３Ｂの横方向と同じ方向でもある。ペット用トイレ１及びトイレ本体２の縦方向（Ｚ方向）は、後述する壁用吸収性シート３Ａの縦方向と同じ方向である。また、ペット用トイレ１及びトイレ本体２の前後方向（Ｘ方向）は、後述する土台用吸収性シート３Ｂの縦方向と同じ方向である。
また、図１に示すように、前後方向（Ｘ方向）の内の吸収性シート３側を前方側、縦方向（Ｚ方向）の内の後述する上側張出部２３側を上方側として説明する。
【００１３】
先ず、好適なトイレ本体２について図３を参照しながら詳述する。トイレ本体２を構成する土台部２１は、床面に載置する板状の部分であり、ペット用トイレ１においては、横方向（Ｙ方向）に長い矩形状に形成されている。トイレ本体２を構成する壁部２２は、壁に設置する部分であり、ペット用トイレ１においては、前後方向（Ｘ方向）の前方側から正面視して、横方向（Ｙ方向）に長い矩形状に形成されている。壁部２２は、土台部２１の奥側端部から立設している。壁部２２と土台部２１とのなす角度は、略９０°である。
【００１４】
土台部２１は、縦方向（Ｚ方向）の上方側から平面視して、前後方向（Ｘ方向）の長さが360ｍｍ〜660ｍｍ程度に形成されており、横方向（Ｙ方向）の長さが470ｍｍ〜930ｍｍ程度に形成されている。
また、壁部２２は、前後方向（Ｘ方向）の手前側から平面視して、縦方向（Ｚ方向）の長さが270ｍｍ〜560ｍｍ程度に形成されており、横方向（Ｙ方向）の長さが470ｍｍ〜920ｍｍ程度に形成されている。
【００１５】
トイレ本体２は、図３に示すように、壁部２２における土台部２１側と反対側の自由端部から前後方向（Ｘ方向）の手前に張り出す上側張出部２３と、壁部２２における土台部２１寄りの部分から前後方向（Ｘ方向）も手前に張り出す下側張出部２４とを有している。上側張出部２３は、下側張出部２４よりも前後方向（Ｘ方向）の手前側に張り出している。好適には、上側張出部２３は、壁部２２の横方向（Ｙ方向）の全域に亘って、壁部２２における縦方向（Ｚ方向）の上端部である前記自由端部から、前後方向（Ｘ方向）の手前に向かってＸ方向に平行に張り出して形成されている。下側張出部２４は、上側張出部２３から下方に縦方向（Ｚ方向）に間隔を空け、壁部２２の横方向（Ｙ方向）の全域に亘って、壁部２２における土台部２１寄りの部分から前後方向（Ｘ方向）の手前に向かってＸ方向に平行に張り出して形成されている。ここで、上側張出部２３の前後方向（Ｘ方向）の長さは、下側張出部２４の前後方向（Ｘ方向）の長さよりも長くなっており、上側張出部２３が下側張出部２４よりも手前側に張り出している。そして、上側張出部２３の前後方向（Ｘ方向）の長さで最も短い長さが、下側張出部２４の前後方向（Ｘ方向）の長さで最も長い長さよりも長いことが好ましい。尚、上側張出部２３の前後方向（Ｘ方向）の長さは、トイレ本体２を安定に配置できること、又、犬が土台部２１の上に乗り、排尿時に片方の後脚を上げやすい等の観点から、土台部２１の前後方向（Ｘ方向）の長さよりも短くなっていることが好ましい。
【００１６】
上側張出部２３の前後方向（Ｘ方向）の長さは、最も長い部分で、150ｍｍ〜250ｍｍ程度に形成されている。
また、下側張出部２４の前後方向（Ｘ方向）の長さは、最も長い部分で、50ｍｍ〜100ｍｍ程度に形成されている。
取り付ける後述する壁用吸収性シート３Ａを傾斜させる観点から、上側張出部２３の前後方向（Ｘ方向）の長さと下側張出部２４の前後方向（Ｘ方向）の長さとの差は100ｍｍ〜200ｍｍ程度に形成されていることが好ましい。
【００１７】
上側張出部２３の先端部分２３１及び下側張出部２４の先端部分２４１は、縦方向（Ｚ方向）に一定の幅を有している。上側張出部２３の先端部分２３１の縦方向（Ｚ方向）の幅は、後述する壁用吸収性シート３Ａの取り付け安定性かつ壁面から床への尿流れを防ぐ観点から、下側張出部２４の先端部分２４１の縦方向（Ｚ方向）の幅よりも広いことが好ましい。具体的には、上側張出部２３の先端部分２３１の縦方向（Ｚ方向）の幅は、20ｍｍ以上100ｍｍ以下であることが好ましく、35ｍｍ以上85ｍｍ以下であることが更に好ましい。また、下側張出部２４の先端部分２４１の縦方向（Ｚ方向）の幅は、15ｍｍ以上85ｍｍ以下であることが好ましく、20ｍｍ以上65ｍｍ以下であることが更に好ましい。
【００１８】
下側張出部２４の先端部分２４１は、土台部２１に接していてもよいが、土台部２１上に載置する後述する土台用吸収性シート３Ｂによって土台部２１を完全に覆い易い観点から、先端部分２４１と土台部２１との間には間隔が空いていることが好ましい。具体的に、前記間隔は、10ｍｍ以上40ｍｍ以下であることが好ましく、20ｍｍ以上30ｍｍ以下であることが更に好ましい。
【００１９】
トイレ本体２の上側張出部２３は、ペット用トイレ１においては、図３に示すように、横方向（Ｙ方向）の中央部分が前後方向（Ｘ方向）の奥側に凹んでいる。好適には、上側張出部２３の先端部分２３１において、横方向（Ｙ方向）の中央部分に向かってＶ字状に切り欠かれており、上側張出部２３の横方向（Ｙ方向）の中央部分が、前後方向（Ｘ方向）の奥側に凹んでいる。またＶ字の角度は120度以上〜140度以下が好ましく、125度以上〜135度以下が更に好ましい。そして、ペット用トイレ１においては、上側張出部２３の横方向（Ｙ方向）の中央部分が奥側に凹んでいるのみならず、下側張出部２４の横方向（Ｙ方向）の中央部分も前後方向（Ｘ方向）の奥側に凹んでいる。好適には、上側張出部２３と同様に、下側張出部２４の先端部分２４１において、横方向（Ｙ方向）の中央部分に向かってＶ字状に切り欠かれており、下側張出部２４の横方向（Ｙ方向）の中央部分が、前後方向（Ｘ方向）の奥側に凹んでいる。またＶ字の角度は120度以上〜140度以下が好ましく、125度以上〜135度以下が更に好ましい。
【００２０】
トイレ本体２の構成部材（土台部２１、壁部２２、上側張出部２３及び下側張出部２４）の材質は、耐蝕性を有するものであれば特に制限はない。軽量で取り扱い易く、成形性が良い等の点から、例えば、ポリプロピレン、ポリエチレン、ポリエチレンテレフタレート、塩化ビニル、アクリロニトリル−ブタジエン−スチレン共重合体（ＡＢＳ）等の汎用の合成樹脂で一体成形されたものが好ましい。また、トイレ本体２の構成部材は、表面に撥水加工や抗菌加工が施されたものを用いることがより好ましい。特に、上側張出部２３の先端部分２３１の表面及び下側張出部２４の先端部分２４１の表面には、後述する壁用吸収性シート３Ａの取り外し易さの観点から、粘着剤に対する剥離処理が施されていることが好ましい。
【００２１】
次に、トイレ本体２に取り付ける吸収性シート３は、図１，図４に示すように、吸収体３１を有する。そして、吸収性シート３は、表面を形成する表面シート３２、及び裏面を形成する裏面シート３３を有し、両シート３２,３３間に吸収体３１を配して形成されている。吸収性シート３は、トイレ本体２の構成部材である上側張出部２３及び下側張出部２４を介して、トイレ本体２に取り付けられる。吸収性シート３は、トイレ本体２の壁部２２から土台部２１に亘って延在する１枚ものであってもよいが、ペット用トイレ１においては、トイレ本体２の壁部２２に取り付けられる壁用吸収性シート３Ａと、トイレ本体２の土台部２１に取り付けられる土台用吸収性シート３Ｂとを有している。即ち、ペット用トイレ１は、トイレ本体２に、壁用吸収性シート３Ａと、壁用吸収性シート３Ａとは別体の土台用吸収性シート３Ｂとを取り付けて形成される。
【００２２】
ペット用トイレ１においては、図１，図４に示すように、吸収性シート３の有する壁用吸収性シート３Ａは、吸収性シート３の表面における縦方向（Ｚ方向）に沿う両側部３ｓ，３ｓそれぞれに、サイドシート３４が配されており、サイドシート３４の横方向（Ｙ方向）の内方側の端部は、自由端となっており、該自由端近傍には弾性部材３５が縦方向（Ｚ方向）に伸長状態で配設固定され、トイレ本体２への取り付け時には、弾性部材３５の収縮力により、自由端から所定幅の部分が吸収性シート３の表面から離間して立体ギャザー３６を形成するようになっている。以下、好適な壁用吸収性シート３Ａについて詳述する。
【００２３】
壁用吸収性シート３Ａは、図４に示すように平面視して、横方向（Ｙ方向）に長い長方形状に形成されている。壁用吸収性シート３Ａは、Ｙ方向の長さが440ｍｍ〜920ｍｍ程度に形成されており、Ｚ方向の長さが320ｍｍ〜620ｍｍ程度に形成されている。また、壁用吸収性シート３ＡのＸ方向の厚みは0.1ｍｍ〜2.0ｍｍ程度に形成されている。尚、厚みの測定においては、無加圧状態で測定する。
【００２４】
壁用吸収性シート３Ａの吸収体３１Ａは、ペット用トイレ１においては、図４に示すように、Ｙ方向に長い矩形状に形成されている。吸収体３１Ａは、Ｙ方向の長さが380ｍｍ〜820ｍｍ程度に形成されており、Ｚ方向の長さが260ｍｍ〜540ｍｍ程度に形成されている。
【００２５】
吸収体３１Ａとしては、尿などの液を吸収する吸収性を有するものであれば、その種類は特に制限されず、例えば図５，図６に示すように、吸水性ポリマー３１１、フラッフパルプ３１２等からなる吸収性コア３１３を、紙（台紙），不織布等からなるコアラップシート３１４で包んだものなどが挙げられる。ペット用トイレ１においては、吸収性コア３１３は、Ｙ方向に長く形成されておおり、Ｙ方向の中央部分における左右両側縁が内方に向かって円弧状に湾曲しており、全体としてＹ方向中央部が内方に括れた形状となっている。このような形状の吸収性コア３１３をコアラップシート３１４で包むことによって、Ｙ方向に長い矩形状の吸収体３１Ａが形成されている。尚、吸収性コア３１３は、吸水性ポリマー３１１を含有しない形態であってもよい。また、吸収性コア３１３には、必要に応じて消臭剤や抗菌剤、香料等を更に添加してもよい。
【００２６】
吸収体３１Ａを構成する吸水性ポリマー３１１は、フラッフパルプ３１２の集合体内に均一に分散配置されていてもよいが、ペット用トイレ１においては、図６に示すように、トイレ本体２に取り付けた状態で、トイレ本体２の下側張出部２４から上側張出部２３に向かって、吸水性ポリマー３１１の量が多くなるように、Ｚ方向の下端部側から上端側に向かって吸水性ポリマー３１１の量が漸次多くなっている。
【００２７】
壁用吸収性シート３Ａの表面シート３２Ａは、ペット用トイレ１においては、図５に示すように、Ｙ方向に長い矩形状に形成されている。表面シート３２Ａは、矩形状の吸収体３１Ａより大きく、吸収体３１ＡのＹ方向の両端縁及びＺ方向の両端縁から外方に延出している。表面シート３２Ａとしては、一般的な低坪量の液透過性の不織布を用いることができる。強度の確保や経済性、又シートの厚みの観点から、表面シート３２Ａに用いられる液透過性の不織布は、その坪量が、10ｇ／ｍ２以上50ｇ／ｍ２以下であることが好ましく、15ｇ／ｍ２以上25ｇ／ｍ２以下であることが更に好ましい。前記不織布は、公知の技術によって製造される液透過性の不織布であればよい。
【００２８】
壁用吸収性シート３Ａの裏面シート３３Ａは、ペット用トイレ１においては、図４に示すように、Ｙ方向に長い矩形状に形成されている。裏面シート３３Ａは、矩形状の吸収体３１Ａより大きく、吸収体３１ＡのＹ方向の両端縁及びＺ方向の両端縁から外方に延出している。裏面シート３３Ａは、そのＺ方向の寸法が、表面シート３２ＡのＺ方向の寸法と同じであるが、そのＹ方向の寸法が、当初、表面シート３２ＡのＹ方向の寸法より長くなっている。裏面シート３３Ａとしては、液不透過性ないし液難透過性のシートを用いることでき、液難透過性（撥水性を含む）の樹脂フィルム、或いは該樹脂フィルムに、各種製法による不織布（例えば、エアースルー不織布、スパンボンド不織布、スパンレース不織布、ニードルパンチ不織布等）を積層したシート等を用いることができる。裏面シート３３Ａに用いられる液不透過性のシートは、その坪量が10ｇ／ｍ２以上50ｇ／ｍ２以下であることが好ましく、15ｇ／ｍ２以上30ｇ／ｍ２以下であることが更に好ましい。
【００２９】
壁用吸収性シート３Ａは、図５，図６に示すように、表面シート３２Ａと裏面シート３３Ａとの間に吸収体３１Ａを配し、吸収体３１Ａの周縁から外方に延出した表面シート３２Ａの延出部分と裏面シート３３Ａの延出部分とを、接着剤又は熱融着等によって互いに接合し、吸収体３１Ａを挟持・固定して形成されている。そして、壁用吸収性シート３Ａのサイドシート３４は、裏面シート３３Ａにおける吸収体３１Ａの縦方向（Ｚ方向）に沿う両側縁からＹ方向に延出する延出部分を表面シート３２Ａ側に折り返して形成されている。折り返された裏面シート３３Ａの延出部分であるサイドシート３４は、表面シート３２ＡのＺ方向に沿う両側部それぞれに、Ｚ方向の全長に亘って配設固定され、サイドシート３４の自由端部には、Ｚ方向に伸長状態の立体ギャザー形成用の弾性部材３５が配設固定されている。そして、図１，図２に示すように、壁用吸収性シート３Ａがトイレ本体２を構成する壁部２２に取り付けられると、弾性部材３５の収縮力によって、サイドシート３４の自由端部が起立して、壁用吸収性シート３ＡのＺ方向に延びる一対の立体ギャザー３６，３６が形成される。
【００３０】
壁用吸収性シート３Ａは、裏面シート３３Ａにおける上側張出部２３及び下側張出部２４それぞれに対向する対向面に粘着剤が塗工されている。粘着剤としては、ペット用シートに一般的に用いられるホットメルト接着剤等を用いることができる。
【００３１】
土台用吸収性シート３Ｂは、図７に示すように平面視して、横方向（Ｙ方向）に長い長方形状に形成されている。土台用吸収性シート３Ｂは、Ｙ方向の長さが440ｍｍ〜920ｍｍ程度に形成されており、Ｘ方向の長さが330ｍｍ〜620ｍｍ程度に形成されている。また、土台用吸収性シート３ＢのＺ方向の厚みは、0.1ｍｍ〜2.0ｍｍ程度に形成されている。尚、厚みの測定においては、無加圧状態で測定する。
【００３２】
土台用吸収性シート３Ｂの吸収体３１Ｂは、ペット用トイレ１においては、図７に示すように、Ｙ方向に長い矩形状に形成されている。吸収体３１Ｂは、Ｙ方向の長さが380ｍｍ〜820ｍｍ程度に形成されており、Ｘ方向の長さが260ｍｍ〜540ｍｍ程度に形成されている。吸収体３１Ｂとしては、壁用吸収性シート３Ａの吸収体３１Ａと同様の形成材料を用いることができる。ペット用トイレ１においては、吸収体３１Ｂを構成する吸収性コア３１３は、Ｙ方向に長い矩形状に形成されており、吸水性ポリマー３１１及びフラッフパルプ３１２等からなる吸収性コア３１３をコアラップシート３１４で包むことによって、Ｙ方向に長い矩形状の吸収体３１Ｂが形成されている。
【００３３】
土台用吸収性シート３Ｂの表面シート３２Ｂ及び裏面シート３３Ｂは、ペット用トイレ１においては、図７，図８に示すように、同形同大に形成されており、互いにＹ方向に長い矩形状に形成されている。表面シート３２Ｂとしては、壁用吸収性シート３Ａの表面シート３２Ａと同様の形成材料を用いることができる。また、裏面シート３３Ｂとしては、壁用吸収性シート３Ａの裏面シート３３Ａと同様の形成材料を用いることができる。
【００３４】
土台用吸収性シート３Ｂは、図８に示すように、表面シート３２Ｂと裏面シート３３Ｂとの間に吸収体３１Ｂを配し、吸収体３１Ｂの周縁から外方に延出した表面シート３２Ｂの延出部分と裏面シート３３Ｂの延出部分とを、接着剤又は熱融着等によって互いに接合し、吸収体３１Ｂを挟持・固定して形成されている。
【００３５】
ペット用トイレ１は、以上のように形成されている吸収性シート３が、図１に示すように、上側張出部２３及び下側張出部２４を介して、トイレ本体２に取り付けられて形成される。トイレ本体２の壁部２２に取り付けられた吸収性シート３は、その縦方向（Ｚ方向）の上端部側が手前に張り出し傾斜するようになる。また、ペット用トイレ１においては、吸収性シート３は、上側張出部２３及び下側張出部２４を介してのみ、トイレ本体２の壁部２２に取り付けられており、トイレ本体２の壁部２２に取り付けられた吸収性シート３は、その中央領域において壁部２２から離間している。好適には、先ず、土台用吸収性シート３Ｂが、トイレ本体２の土台部２１を覆うように土台部２１上に配置される。次に、壁用吸収性シート３Ａが、壁用吸収性シート３Ａの裏面シート３３Ａに塗工された粘着剤により上側張出部２３及び下側張出部２４に固定され、上側張出部２３及び下側張出部２４を介してのみ、トイレ本体２の壁部２２に取り付けられて、ペット用トイレ１が形成されている。従って、土台用吸収性シート３Ｂ上に、壁用吸収性シート３Ａの縦方向（Ｚ方向）の下端縁が配されるようになっている。よって、土台用吸収性シート３Ｂと壁用吸収性シート３Ａとの繋ぎ目から尿が漏れ難くなっている。
【００３６】
このように形成されたペット用トイレ１においては、上側張出部２３が下側張出部２４よりも前後方向（Ｘ方向）の手前に張り出しているので、図２に示すように、トイレ本体２の壁部２２に取り付けられた壁用吸収性シート３Ａは、その縦方向（Ｚ方向）の上端部側が手前に張り出し傾斜するようになる。そして、壁用吸収性シート３Ａが上側張出部２３及び下側張出部２４を介してのみトイレ本体２の壁部２２に取り付けられているので、壁用吸収性シート３Ａは、その中央領域が壁部２２から離間する。
【００３７】
上述した本発明の一実施形態のペット用トイレ１を使用した際の作用効果について説明する。
ペット用トイレ１においては、図１，図２に示すように、トイレ本体２の壁部２２に取り付けられた吸収性シート３である壁用吸収性シート３Ａは、Ｚ方向上端部側が手前に張り出し傾斜している。その為、ペット用トイレ１を排尿時に片方の後脚を上げて排尿する習性がある特に雄犬に対して使用し、雄犬が壁用吸収性シート３Ａに対して排尿したとしても、傾斜している壁用吸収性シート３Ａにより、排尿が跳ねた場合でもその跳ねる方向は、土台シート３Ｂに向かって跳ね易くなるためシートの外側に飛び散り難く、壁用吸収性シート３Ａ又は土台用吸収性シート３Ｂにて吸収され、悪臭が発生し難く、衛生的である。
【００３８】
また、ペット用トイレ１においては、図１に示すように、弾性部材３５の収縮力によって、壁用吸収性シート３Ａに、壁用吸収性シート３ＡのＺ方向に延びる一対の立体ギャザー３６，３６が形成される。その為、雄犬が壁用吸収性シート３Ａに対して排尿したとしても、一対の立体ギャザー３６，３６により、排尿が横方向に跳ねた場合でも壁用シート３Ａの外に飛び散り難く、壁用吸収性シート３Ａ又は土台用吸収性シート３Ｂにて吸収され、悪臭が更に発生し難く、更に衛生的である。
【００３９】
また、ペット用トイレ１においては、図２に示すように、トイレ本体２の壁部２２に取り付けられた壁用吸収性シート３Ａは、その中央領域が壁部２２から離間している。その為、壁用吸収性シート３Ａの中央領域が、前後方向（Ｘ方向）の奥側に凹み易くなっている。従って、雄犬が壁用吸収性シート３Ａに対して排尿したとしても、奥側に凹んだ壁用吸収性シート３Ａの中央領域により、排尿が横方向に跳ねた場合でも壁用シート３Ａの外に更に飛び散り難く、壁用吸収性シート３Ａ又は土台用吸収性シート３Ｂにて吸収され、悪臭が更に発生し難く、更に衛生的である。このような壁用吸収性シート３Ａの中央領域の凹みは、一対の立体ギャザー３６，３６が形成されていれば、更に形成され易くなる。
【００４０】
また、ペット用トイレ１においては、図３に示すように、壁用吸収性シート３Ａを取り付けるトイレ本体２の上側張出部２３は、横方向（Ｙ方向）の中央部分が奥側に凹んでいる。その為、壁用吸収性シート３Ａの横方向（Ｙ方向）中央領域が、図１に示すように、前後方向（Ｘ方向）の奥側に凹み易くなっている。従って、雄犬が壁用吸収性シート３Ａに対して排尿したとしても、奥側に凹んだ壁用吸収性シート３Ａの中央領域により、排尿が横方向に跳ねた場合でも壁用シート３Ａの外に更に飛び散り難く、壁用吸収性シート３Ａ又は土台用吸収性シート３Ｂにて吸収され、悪臭が更に発生し難く、更に衛生的である。ペット用トイレ１においては、壁用吸収性シート３Ａを取り付ける下側張出部２４の先端部分２４１も、横方向（Ｙ方向）の中央部分が奥側に凹んでいるので、壁用吸収性シート３Ａの中央領域の凹みが更に形成され易くなっている。
【００４１】
また、ペット用トイレ１においては、図６に示すように、壁用吸収性シート３Ａをトイレ本体２に取り付けた状態で、トイレ本体２の下側張出部２４から上側張出部２３に向かって、吸収体３１Ａを構成する該吸水性ポリマーの量が多くなっている。その為、雄犬が壁用吸収性シート３Ａに対して排尿すればするほど、該吸水性ポリマーが膨潤し、壁用吸収性シート３Ａの上端部側が手前に次第に張り出すようになり易い。従って、雄犬が壁用吸収性シート３Ａに対して排尿したとしても、使用前に比べて更に傾斜している壁用吸収性シート３Ａにより、排尿が跳ねた場合でもその跳ねる方向は、土台シート３Ｂに向かって跳ね易くなるためシートの外側に更に飛び散り難く、壁用吸収性シート３Ａ又は土台用吸収性シート３Ｂにて吸収され、悪臭が更に発生し難く、更に衛生的である。
【００４２】
以上、本発明のペット用トイレを、その好ましい実施形態に基づき説明したが、本発明は上述した実施形態に制限されない。
例えば、壁用吸収性シート３Ａは、図１に示すように、一対の立体ギャザー３６，３６を備えているが、備えていなくてもよい。即ち、壁用吸収性シート３Ａの縦方向（Ｚ方向）に沿う両側部３ｓ，３ｓそれぞれに、サイドシート３４が配されていなくてもよい。
【００４３】
また、トイレ本体２の壁部２２の上側張出部２３の先端部分２３１及び下側張出部２４の先端部分２４１それぞれと、壁用吸収性シート３Ａとの固定手段は、壁用吸収性シート３Ａの裏面シート３３Ａにおける上側張出部２３及び下側張出部２４それぞれに対向する対向面に塗工された粘着剤であるが、他の固定手段であってもよい。他の固定手段としては、マジックテープ（登録商標）、クリップ等が挙げられる。
【符号の説明】
【００４４】
１  ペット用トイレ
２  トイレ本体
２１  土台部
２２  壁部
２３  上側張出部
２３１  先端部分
２４  下側張出部
２４１  先端部分
３  吸収性シート
３Ａ  壁用吸収性シート
３Ｂ  土台用吸収性シート
３１，３１Ａ，３１Ｂ  吸収体
３２，３２Ａ，３２Ｂ  表面シート
３３，３３Ａ，３３Ｂ  裏面シート
３４  サイドシート
３５  弾性部材
３６  立体ギャザー
【図１】
0006356578.tif 000002
【図２】
0006356578.tif 000003
【図３】
0006356578.tif 000004
【図４】
0006356578.tif 000005
【図５】
0006356578.tif 000006
【図６】
0006356578.tif 000007
【図７】
0006356578.tif 000008
【図８】
0006356578.tif 000009